(57)【特許請求の範囲】
【請求項１】
それぞれが通信機能と、表示器と、通信登録操作手段と、電話帳情報等を記憶する電話帳メモリ部と、屋内ネットワーク網を介して相互の接続が図られるネットワークインタフェース部と、システム構成機器であることを互いに認証する認証情報を検出する認証情報検出部とを有し、互いに独立して使用される複数の通信端末機器によって構成され、
上記各通信端末機器は、それぞれの上記電話帳メモリ部に、上記屋内ネットワーク網を介して接続される他の通信端末機器に応じてそれぞれ使用を制限する制限情報を付加して上記電話帳情報等を記憶しており、
所望の電話帳情報等について、自己の上記電話帳メモリ部内に登録された電話帳情報等を上記表示器に表示して検索を行い、この検索で登録無を確認した場合に上記屋内ネットワーク網を介して他の通信端末機器との接続を行ってその電話帳メモリ部内に登録された電話帳情報等の提供を要求して検索を行い、この検索により得た上記所望の電話帳情報等に基づいて上記通信登録操作手段による発信操作を行うことにより、
それぞれの上記電話帳メモリ部に記憶された電話帳情報等を相互に共用する電話帳共用システム。
【請求項２】
上記各通信端末機器は、上記屋内ネットワーク網を介して、他の通信端末機器からそれぞれの上記電話帳メモリ部内に記憶された上記電話帳情報等を自己の電話帳メモリ部内に取込み自在である請求項１に記載の電話帳共用システム。
【請求項３】
上記各通信端末機器は、自己の電話帳メモリ部内に取り込む上記他の通信端末機器の上記電話帳情報等について編集処理を施した後に、この編集電話帳情報等を上記屋内ネットワーク網を介して当該通信端末機器或いは他の通信端末機器の上記電話帳メモリ部に書き込み指示する機能を有する請求項２に記載の電話帳共用システム。
【請求項４】
それぞれが通信機能と、表示器と、通信登録操作手段と、電話帳情報等を記憶する電話帳メモリ部と、屋内ネットワーク網を介して相互の接続が図られるネットワークインタフェース部と、システム構成機器であることを互いに認証する認証情報を検出する認証情報検出部とを有し、互いに独立して使用される複数の通信端末機器において実施され、
上記各通信端末機器は、それぞれの上記電話帳メモリ部に、上記屋内ネットワーク網を介して接続される他の通信端末機器に応じてそれぞれ使用を制限する制限情報を付加して上記電話帳情報等を記憶しており、
所望の電話帳情報等について、所定の通信端末機器において自己の上記電話帳メモリ部内に登録された電話帳情報等を上記表示器に表示して検索操作を行う自己内検索処理と、
この自己内検索処理において上記所望電話帳情報等が得られなかった場合に、当該通信端末機器から上記屋内ネットワーク網を介して接続された他の通信端末機器を呼び出す呼出処理と、
この呼出処理により上記通信端末機器の上記電話帳メモリ部内から呼び出した電話帳情報等を上記表示器に表示して上記所望電話帳情報等の検索を行う外部検索処理とを経ることによって、
上記屋内ネットワーク網を介して接続される上記各通信端末機器の電話帳機能を相互に共用する電話帳共用方法。
【発明の詳細な説明】
【０００１】
【発明の属する技術分野】
本発明は、それぞれ電話帳情報等を記憶する電話帳メモリを有する複数の通信端末機器間における電話帳情報等の共用システム及び共用方法に関する。
【０００２】
【従来の技術】
事務所や家庭内には、例えば加入者電話機、携帯電話機や各種の移動携帯端末機或いはファクシミリ装置等のように様々かつ多数の通信端末機器が用いられている。これらの通信端末機器においては、例えば主装置に対して多数個の子機が接続されてなるビジネス用の中規模、大規模システム電話装置の場合には、子機相間での内線通話が可能であるとともに主装置内のメモリに登録することによって電話帳情報等の共有化が図られている。
【０００３】
この種の技術としては、例えば特開平１０−２３１３３号公報等に開示されており、具体的には親機が備えている電話帳データを各子機に送信し、子機においてこれを受信するとともに磁気記憶手段に記憶する。各子機は、発信時にこの電話帳データを利用して外線発信を行うようにする。
【０００４】
また、パーソナルコンピュータにおいては、コンピュータ本体に対してマウスやモニタ或いはキーボードやプリンタ等の各種の周辺装置が接続されるが、これら周辺機器を赤外線や微弱電波等を介して接続することによっていわゆるコードレスシステムも構築される。パーソナルコンピュータにおいては、複数台をシリアルバス等によって相互接続することによってデータの共有化を図るシステム構成が行われる。このようにパーソナルコンピュータにおいては、相互の接続或いは各種の周辺端末機器の接続が簡易な構成の屋内ネットワーク網を利用して行われている。
【０００５】
例えば特開平１０−２９０２７９号公報には、パソコン等の情報端末から外線発信を行う場合に、ネットワーク内に接続されたサーバに一括管理された共用電話帳データを利用する技術が開示されている。
【０００６】
【発明が解決しようとする課題】
ところで、各種の通信端末機器やパーソナルコンピュータ等においては、従来いわゆるクローズシステムの中でデータの共有化を図るように構成しているが、独立した各機器間において相互接続が行われるネットワークインターフェース機能を有していない。家庭用通信端末機器においては、それぞれの機器毎に独自の電話帳情報等が登録されており、これらを共通に利用する考え方は無かった。
【０００７】
例えば、携帯電話機には、電話帳メモリ内に個人的な電話帳情報が記憶されているが、何らかの理由によって加入者電話機やファクシミリ電話機を利用して通話を行おうとした場合に相手方の電話番号が簡単に調べられないといった問題があった。使用者は、例えば携帯電話機の表示器に電話帳メモリ内に記憶された電話番号等を表示させ、これを見ながら加入者電話機やファクシミリ電話機から発信を行うが手間がかかるとともに電話番号の入力ミスがしばしば生じるといった問題があった。
【０００８】
上述したビジネス用システム電話装置やコンピュータシステムにおける電話帳共用化の技術は、システム内に登録された電話番号や氏名、住所等の電話帳情報を手軽に利用することが可能であり、無駄な電話帳データの重複登録が避けられる。しかしながら、かかる電話帳共用化の技術は、電話帳情報をデータベース化してサーバや主装置に記憶させることからシステム全体が大型化し、家庭用通信端末機器間でシステム構成する場合に適用し得ないといった問題がある。換言すれば、各種の家庭用通信端末機器においては、互いに相互接続を行ってシステムを構成することは行われていない。
【０００９】
したがって、本発明は、携帯電話機や各種の移動携帯端末機或いは加入者電話機やファクシミリ装置等の電話帳情報等を記憶する電話帳メモリを有する複数の通信端末機器間において簡易な構成と簡易な操作とによって電話帳情報等の共用化を図るようにした電話帳共用システム及び共用方法を提供することを目的に提案されたものである。
【００１０】
【課題を解決するための手段】
上述した目的を達成する本発明にかかる電話帳共用システムは、それぞれが通信機能と、表示器と、通信登録操作手段と、電話帳情報等を記憶する電話帳メモリ部と、屋内ネットワーク網を介して相互の接続が図られるネットワークインタフェース部と、システム構成機器であることを互いに認証する認証情報を検出する認証情報検出部とを有し、互いに独立して使用される複数の通信端末機器によって構成される。電話帳共用システムは、各通信端末機器が、それぞれの電話帳メモリ部に、屋内ネットワーク網を介して接続される他の通信端末機器に応じてそれぞれ使用を制限する制限情報を付加して電話帳情報等を記憶する。電話帳共用システムは、システム構成機器間において、それぞれの電話帳メモリ部に記憶された電話帳情報等を相互に共用する。
【００１１】
電話帳共用システムは、所望の電話帳情報等について、自己の電話帳メモリ部内に登録された電話帳情報等を表示器に表示して検索を行う。電話帳共用システムは、この検索で登録無を確認した場合に、屋内ネットワーク網を介して他の通信端末機器との接続を行ってその電話帳メモリ部内に登録された電話帳情報等の提供を要求する。電話帳共用システムは、提供された他の通信端末機器からの電話帳情報等の検索を行い、この検索により得た所望の電話帳情報等に基づいて通信登録操作手段による発信操作を行う。
【００１２】
以上のように構成された本発明にかかる電話帳共用システムによれば、サーバや大規模なシステムの構築等を必要とせずに各通信端末機器間においてそれぞれが保有する電話帳情報等の相互利用が可能となり、使い勝手が大幅に向上する。したがって、電話帳共用システムによれば、各通信端末機器に大容量の電話帳メモリが不要となり、また電話帳情報等の入力処理の手間或いは入力ミスも低減される。
【００１３】
電話帳共用システムによれば、認証システムの採用によって、第三者の介入が排除されることで電話帳情報等の不正使用等が排除されるとともに、プライバシーの侵害等も防止される。電話帳共用システムによれば、他の機器に登録されている頻度が高い必要な電話帳情報等を、例えば自分専用の携帯電話機内に写し間違いすることなく取り込むことができる。電話帳共用システムによれば、各通信端末機器間において編集された電話帳情報等が登録されることで、利用者が戸惑うこと無く相互使用が可能となる。
【００１４】
また、上述した目的を達成する本発明にかかる電話帳共用方法は、それぞれが通信機能と、表示器と、通信登録操作手段と、電話帳情報等を記憶する電話帳メモリ部と、屋内ネットワーク網を介して相互の接続が図られるネットワークインタフェース部と、システム構成機器であることを互いに認証する認証情報を検出する認証情報検出部とを有し、互いに独立して使用される複数の通信端末機器において実施される。電話帳共用方法においては、各通信端末機器が、それぞれの電話帳メモリ部に、屋内ネットワーク網を介して接続される他の通信端末機器に応じてそれぞれ使用を制限する制限情報を付加して電話帳情報等を記憶する。電話帳共用方法によれば、所望の電話帳情報等について、所定の通信端末機器において自己の電話帳メモリ部内に登録された電話帳情報等を表示器に表示して検索操作を行う自己内検索処理と、この自己内検索処理において所望電話帳情報等が得られなかった場合に当該通信端末機器から屋内ネットワーク網を介して接続された他の通信端末機器を呼び出す呼出処理と、この呼出処理により通信端末機器の電話帳メモリ部内から呼び出した電話帳情報等を表示器に表示して所望の電話帳情報等の検索を行う外部検索処理とを経ることにより、屋内ネットワーク網を介して接続される各通信端末機器の電話帳機能を相互に共用する。
【００１５】
以上の処理を行う本発明にかかる電話帳共用方法によれば、サーバや大規模なシステムの構築等を必要とせずに各通信端末機器間においてそれぞれが保有する電話帳情報等の相互利用が可能となる。電話帳共用システムによれば、他の機器に登録されている頻度が高い必要な電話帳情報等を、例えば自分専用の携帯電話機内に写し間違いすることなく取り込むことができるようになる。したがって、電話帳共用方法によれば、各通信端末機器に大容量の電話帳メモリを不要とするとともに、電話帳情報等の入力処理の手間或いは入力ミスも低減されるようになり、使い勝手が向上する。
【００１６】
【発明の実施の形態】
以下、本発明の実施の形態について、図面を参照して詳細に説明する。実施の形態として示す通信端末機器間の電話帳共用システム（以下、電話帳共用システムと略称する。）１は、図１に示すように、それぞれ有線或いは無線により一般の通信回線や専用回線等の通信網２にそれぞれ独立して接続される家庭内等に固定的に設置される加入者電話機３やファクシミリ電話機４或いは使用者によって携帯される携帯電話機５や移動携帯端末器（PDA:Personal Degital Assistance）６等の通信端末機器によって構成される。電話帳共用システム１は、これらの構成機器３〜６が、詳細を後述する屋内ネットワーク網７を介して相互に接続可能に構成されてなる。電話帳共用システム１は、上述した通信端末機器３〜６に限定されるものではなく、その他の通信端末機器を備えてもよいことは勿論であるが、それぞれに屋内ネットワーク網７を介して相互の接続を可能とする機能が備えられる。
【００１７】
電話帳共用システム１について、以下図２を参照して、ファクシミリ電話機４と、携帯電話機２及びＰＤＡ６の構成について代表して説明する。ファクシミリ電話機４は、同図（Ａ）に示すように、従来ファクシミリ電話機と同様に通信網２と接続されるファクシミリ送受信・通信機能部４ａ、電話帳メモリ部４ｂ、表示器４ｃ及び装置全体の制御を行うＣＰＵからなる装置制御部４ｄ等を備えている。また、ファクシミリ電話機４は、屋内ネットワーク網７と接続可能なネットワークインタフェース部４ｅを有するとともに電話帳共用システム１を構成する他の機器に付された認証情報（ＩＤ）を検出するＩＤ検出部４ｆを備えている。
【００１８】
なお、加入者電話機３やファクシミリ電話機４は、一体化されたり、留守番電話機能を備えたり、複数個の子機を有線或いは無線で接続してなる多機能電話機であってもよい。また、ファクシミリ電話機４は、記録機構部や給紙機構部或いはダイヤル機構や通話用の送受話器等も備えられることは勿論である。電話帳メモリ部４ｂは、ファクシミリ電話機４に登録される認証情報を含む種々のデータを消去可能に記録するメモリ部によって構成してもよいことは勿論である。
【００１９】
携帯電話機５も、同図（Ｂ）に示すように、従来の携帯電話機と同様に無線通信部５ａ、電話帳メモリ５ｂ、表示器５ｃ及び装置全体の制御を行うＣＰＵからなる装置制御部５ｄ等を備えている。また、携帯電話機５は、屋内ネットワーク網７と接続可能なネットワークインタフェース部５ｅを有するとともに電話帳共用システム１を構成する他の機器の認証情報を検出するＩＤ検出部５ｆを備えている。なお、携帯電話機５は、従来の携帯電話機が備えるその他の構成を有することは勿論である。また、電話帳メモリ５ｂは、携帯電話機５に登録される認証情報を含む種々のデータを消去可能に記録するメモリ部によって構成してもよいことは勿論である。
【００２０】
ＰＤＡ６も、同図（Ｃ）に示すように、従来の移動携帯端末器と同様に、無線通信部６ａ、電話帳メモリ６ｂ、表示器６ｃ及び装置全体の制御を行うＣＰＵからなる装置制御部６ｄ等を備えている。また、ＰＤＡ６は、屋内ネットワーク網７と接続可能なネットワークインタフェース部６ｅを有するとともに電話帳共用システム１を構成する他の機器の認証情報を検出するＩＤ検出部６ｆを備えている。ＰＤＡ６は、従来の移動携帯端末器が備えるその他の構成を有することは勿論である。また、電話帳メモリ６ｂは、ＰＤＡ６に登録される認証情報を含む種々のデータを消去可能に記録するメモリ部によって構成してもよいことは勿論である。
【００２１】
上述した各通信端末機器においては、所定の登録操作を行うことによって、それぞれの電話帳メモリ部内に電話番号や氏名、住所等の電話帳情報或いはスケジュール帳情報（以下、電話帳情報等と総称する。）が登録される。また、各通信端末機器においては、所定の呼出操作を行うことによって電話帳メモリ部内に登録された電話帳情報等の呼出が行われる。電話帳情報等については、電話帳メモリ部の大容量化とともに、使用形態の多様化に伴って例えばメモ記録や相手方情報の記録或いはホームページアドレス（URL:Uniform Resource Location）の記録等の展開が図られるようになる。
【００２２】
かかる電話帳機能について携帯電話機５について代表して説明する。携帯電話機５においては、電話帳機能について様々な方式のものが提供されているが、代表例について説明する。携帯電話機５においては、例えばダイヤルボタンや各種の機能ボタンが配設された操作部に設けられた呼出ボタンを操作することによって、電話帳メモリ部５ｂに予め登録されている電話帳情報等が表示器５ｃに表示される。携帯電話機５においては、例えばダイヤルボタンの兼用或いはジョグダイヤル等を操作することによって登録された電話帳情報等が表示器５ｃに順次切替表示される。携帯電話機５においては、目的の電話帳情報等が表示器５ｃに表示された状態において、発信操作を行うことによって自動ダイヤル発信が行われる。
【００２３】
また、携帯電話機５においては、例えばダイヤルボタンや各種の機能ボタンによって登録番号や氏名等を入力して目的とする電話帳情報等を検索する検索機能が備えられている。携帯電話機５は、この検索機能を用いて他の通信端末機器が保有する電話情報等の検索も行う。
【００２４】
携帯電話機５においては、例えば操作部に設けられた登録ボタンを操作して登録モードに設定した状態において、表示器５ｃを見ながらダイヤルボタンやジョグダイヤル等を利用して登録する氏名等の入力及び電話番号等の入力操作が行われる。携帯電話機５においては、表示器５ｃに表示された入力情報を確認した後に登録ボタンの操作を行うことにより、当該入力情報が電話帳メモリ部５ｂに登録される。電話帳情報等は、電話帳メモリ部５ｂ内において、例えば「あいうえお」順或いは「ＡＢＣ」順等のソートが行われて登録される。
【００２５】
各通信端末機器３〜６においては、上述したようにそれぞれの電話帳メモリ部３ｂ〜６ｂ内に独立して電話帳情報等が登録されている。各通信端末機器３〜６は、詳細を後述するように屋内ネットワーク網７を介して他の通信端末機器からその電話帳メモリ部３ｂ〜６ｂ内に登録された電話帳情報等の呼び出しを行うとともに、自分が保有する電話帳情報等を相手側の電話帳メモリ部３ｂ〜６ｂ内に書き込むことが可能とされる。
【００２６】
電話帳共用システム１は、屋内ネットワーク網７として、無線或いは有線によりデータの送受信を可能とする適宜の屋内近距離無線通信網が利用される。屋内ネットワーク網７としては、有線ネットワーク網として一般に用いられている、例えばＵＳＢ（Universal Serial Bus）システムやＩＥＥＥ１３９４システム等が適用される。屋内ネットワーク網７としては、無線ネットワーク網として一般に用いられている、赤外線や微弱電波等を利用した無線通信システム、例えばBluetooth（登録商標）システムやWireless1394システム等が適用される。
【００２７】
電話帳共用システム１においては、ある通信端末機器、例えば携帯電話機５から屋内ネットワーク網７を介してシステム構成された他の通信端末機器、例えばファクシミリ電話機４の呼び出しを行ってその電話帳メモリ部４ｂに登録された電話帳情報等の検索が行われる。電話帳共用システム１においては、各自の電話帳情報等が適正に保全されるようにセキュリティ処理が施こされ、携帯電話機５からの要求に対してファクシミリ電話機４においてセキュリティレベルが判断される。電話帳共用システム１においては、携帯電話機５からの呼出に基づいてファクシミリ電話機４において認証情報の照合が行われる。電話帳共用システム１においては、認証情報を照合して呼出側の携帯電話機５がシステム構成機器として予め認証された通信端末機器であると判定した場合に、その電話帳メモリ部４ｂに登録された電話帳情報等を屋内ネットワーク網７を介して携帯電話機５へと送信する。
【００２８】
したがって、電話帳共用システム１においては、屋内ネットワーク網７を介して相互に接続されていても、予め相互に認証された通信端末機器間においてのみ電話帳情報等の相互利用が可能とされる。電話帳共用システム１においては、かかる認証システムに限定されるものではなく、使用形態により種々展開される。電話帳共用システム１は、例えば全ての端末通信機器が特定の人物によってのみ使用される場合等において、認証手続きを要せずにオールフリーで電話帳情報等の相互利用が可能なように構成してもよい。電話帳共用システム１においては、この場合に各通信端末機器３〜６に備えられるＩＤ検出部３ｆ〜６ｆが不要となるために、カット処理が施される。
【００２９】
電話帳共用システム１においては、各通信端末機器３〜６毎に特定の電話帳情報等について秘密保持するセキュリティレベルの設定が可能とされる。電話帳共用システム１は、例えば特定の電話帳情報等について、いわゆるパスワード登録を行うことによって他の通信端末機器に対して秘密を保持して相互利用を禁止し或いは削除や訂正等が行われないようにする。セキュリティレベルは、各通信端末機器３〜６においてその電話帳情報等の全体に設定したり、それぞれの電話帳情報等について個別に設定してもよい。
【００３０】
電話帳共用システム１においては、ある通信端末機器において新規登録、登録抹消、登録内容の変更等の処理を行った場合に、自らの電話帳メモリ部に登録することは勿論のこと、屋内ネットワーク網７を介して他の通信端末機器の電話帳メモリ部に登録することも可能である。したがって、電話帳共用システム１においては、各通信端末機器３〜６の電話帳メモリ部３ｂ〜６ｂに登録された電話帳情報等の相互利用とともに、電話帳情報等の相互登録も行われるようになる。なお、電話帳共用システム１においては、他の通信端末機器に対する電話帳情報等の検索操作と登録操作とについて認証情報を異にするようにしてもよい。
【００３１】
電話帳共用システム１は、上述した屋内ネットワーク網７を介して各通信端末機器３〜６を相互に接続することによって、簡易にかつ廉価にシステム構成を図ることが可能である。電話帳共用システム１は、通信端末機器３〜６においてそれぞれの電話帳メモリ部３ｂ〜６ｂに電話帳情報等を保有するとともに、屋内ネットワーク網７を介してシステムを構成する他の通信端末機器が保有する電話帳情報等を直接利用することが可能である。したがって、電話帳共用システム１によれば、各通信端末機器３〜６において共用する電話帳情報等を登録するサーバ等の装置が不要とされてシステムの簡易化が図られるとともに、各通信端末機器３〜６のシステム接続も簡易に行われる。
【００３２】
以上のように構成された電話帳共用システム１について、図３を参照してシステム内の電話帳情報等の検索操作について説明する。なお、同図においては、認証手続きを不要とするものとして説明する。電話帳共用システム１を構成するある通信端末機器、例えば携帯電話機５によって電話帳情報等の検索操作を行う。電話帳共用システム１は、例えば全ての登録情報を流し読み等する一覧検索或いは氏名等のワード入力によるワード検索等の適宜の方法によって検索操作が行われる。
【００３３】
電話帳共用システム１においては、まず携帯電話機５自体の電話帳メモリ部５ｂを対象とした検索操作が行われる（ｓ−１）。この検索操作は、上述したように携帯電話機５における一般的な電話帳機能の操作である。検索操作は、携帯電話機５内に目的とする電話帳情報等が登録されていないことが明白な場合には、直接システム内の他の通信端末機器の検索を行うようにしてもよいことは勿論である。
【００３４】
電話帳共用システム１においては、携帯電話機５により上述した検索機能を用いて電話帳メモリ部５ｂ内に目的とする電話帳情報等が登録されているか否かの検索を行う（ｓ−２）。電話帳共用システム１においては、携帯電話機５の電話帳メモリ部５ｂ内に目的の電話帳情報等が登録されている場合に、当該電話帳情報等の読み出しを行って（ｓ−３）、その内容を表示器５ｃに表示するようにする（ｓ−４）。電話帳共用システム１においては、所定の電話帳情報等が表示された状態において、携帯電話機５において発信操作を行うことにより自動ダイヤル発信が行われて相手方との通信が行われる（ｓ−５）。
【００３５】
電話帳共用システム１においては、携帯電話機５の電話帳メモリ部５ｂ内に目的の電話帳情報等が登録されていない場合に、屋内ネットワーク網７を介して携帯電話機５のネットワークインタフェース部５ｅと他の通信端末機器、例えばファクシミリ電話機４のネットワークインタフェース部４ｅとが接続されてその電話帳メモリ部４ｂの呼出が行われて、登録された電話帳情報等の検索が行われる（ｓ−６）。電話帳共用システム１においては、携帯電話機５からの呼出に際してファクシミリ電話機４において後述する認証判断が行われる。
【００３６】
電話帳共用システム１においては、携帯電話機５からのアクセスに基づいてファクシミリ電話機４の検索機能が動作されて電話帳メモリ部４ｂ内に目的とする電話帳情報等が登録されているか否かの検索が行われる（ｓ−７）。電話帳共用システム１においては、この検索に基づいてファクシミリ電話機４の電話帳メモリ部４ｂ内に目的の電話帳情報等が登録されている場合に、この電話帳情報等が屋内ネットワーク網７を介して携帯電話機５へと供給される。電話帳共用システム１においては、携帯電話機５に供給された当該電話帳情報等が、表示器５ｃに表示される。
【００３７】
電話帳共用システム１においては、この検索に基づいてファクシミリ電話機４の電話帳メモリ部４ｂ内に目的の電話帳情報等が登録されていない場合に、携帯電話機５の表示器５ｃに「データ無し」の表示が行われる（ｓ−８）。なお、電話帳共用システム１においては、図示しないがファクシミリ電話機４の電話帳メモリ部４ｂ内に目的の電話帳情報等が登録されていない場合に、携帯電話機５により屋内ネットワーク網７を介してシステムを構成する他の通信端末機器に対して同様の手順によって目的の電話帳情報等の検索が行われる。
【００３８】
電話帳共用システム１においては、上述した検索操作を行った後に、電話帳情報等の編集処理の要否が判断される（ｓ−９）。電話帳共用システム１においては、電話帳情報等について編集処理を必要としない場合に検索操作を終了する。電話帳共用システム１においては、電話帳情報等について編集処理を必要とする場合には、当該携帯電話機５によって後述する編集処理が行われる。なお、電話帳共用システム１においては、携帯電話機５に登録されておらずファクシミリ電話機４や他の通信端末機器に登録されている電話帳情報等について、必要ならば当該携帯電話機５に上述した登録操作の手順にしたがって登録するようにしてもよい。
【００３９】
電話帳共用システム１においては、上述したように一覧検索やワード検索が行われるが、携帯電話機５の表示器５ｃに図４に示すような表示が行われる。電話帳共用システム１においては、他の通信端末機器においてもそれぞれの表示器に同様の画面表示が行われることは勿論である。携帯電話機５には、例えば一覧検索を行う場合に、表示器５ｃに同図（Ａ）に示す順序で画面表示が行われる。携帯電話機５は、検索操作の開始に際してＡ−１で示すように表示器５ｃに「電話帳検索」の表示が行われる。携帯電話機５は、この状態で検索モードへと移行する。
【００４０】
携帯電話機５は、所定の機能ボタンを操作することによって、Ａ−２で示すように表示器５ｃに屋内ネットワーク網７を介して接続される通信端末機器の一覧が表示されて機器選択モードへと移行する。携帯電話機５は、この状態でスクロールボタンを操作して任意の通信端末機器を選択し、確定ボタンを操作することによってネットワークインタフェース部５ｅが起動されて屋内ネットワーク網７を介して当該通信端末機器、例えばファクシミリ電話機４のネットワークインタフェース部４ｅとの接続が行われる。なお、ファクシミリ電話機４においては、上述したようにその電話帳メモリ部４ｂから電話帳情報等を呼び出して屋内ネットワーク網７を介して携帯電話機５に送信する。
【００４１】
携帯電話機５には、Ａ−３に示すように表示器５ｃにファクシミリ電話機４の電話帳メモリ部４ｂに登録された電話帳情報等が、例えば「あ」行から順に表示される。携帯電話機５においては、例えば移動ボタンやジョグダイヤルを操作して表示された電話帳情報等列の移動表示を行い、目的の電話帳情報等が表示された状態においてその確定操作を行う。
【００４２】
携帯電話機５には、例えばキーワード検索を行う場合に、その表示器５ｃに図４（Ｂ）に示す順序で画面表示が行われる。携帯電話機５は、このキーワード検索においても同図Ｂ−１、Ｂ−２の画面に示すように、検索モード画面及び機器選択モード画面が一覧検索と同等に表示され、またモード切替操作も同様に行われる。なお、携帯電話機５は、例えば検索モード画面の次に一覧検索とキーワード検索とを選択する画面が表示されて、いずれか一方を選択可能とするようにしてもよい。
【００４３】
携帯電話機５には、Ｂ−３の画面に示すように所定の領域にダイヤルボタンやジョグダイヤルを用いてキーワード、例えば「か」が入力されると、表示器５ｃにファクシミリ電話機４の電話帳メモリ部４ｂに登録された「か」行の電話帳情報等が順次表示される。携帯電話機５においては、例えば移動ボタンやジョグダイヤルを操作して表示された電話帳情報等列の移動表示を行い、目的の電話帳情報等が表示された状態においてその確定操作を行う。
【００４４】
電話帳共用システム１においては、キーワード検索を行う場合に、屋内ネットワーク網７を介して接続される全ての通信端末機器と自動的に接続されるように構成してもよい。電話帳共用システム１においては、この場合に、携帯電話機５に、全ての通信端末機器に登録された「か」行の電話帳情報等がその機器の識別情報とともに表示される。
【００４５】
電話帳情報等の編集処理について、図５を参照して説明する。電話帳共用システム１においては、携帯電話機５により、その電話帳メモリ部５ｂ内に登録された電話帳情報等或いは屋内ネットワーク網７を介して接続されてシステムを構成する他の通信端末機器の電話帳メモリ部内に登録された電話帳情報等の読み出しが行われる（ｓ−１０）。電話帳共用システム１においては、表示器５ｃに表示された電話帳情報等について上述した入力操作の手順に基づいて登録抹消、登録内容の変更等の必要な編集処理が携帯電話機５において行われる（ｓ−１１）。
【００４６】
電話帳共用システム１においては、編集を行った電話帳情報等について、保存の要否を判断し（ｓ−１２）、保存しない場合には編集処理を終了する。電話帳共用システム１においては、編集電話帳情報等について、保存する場合にはシステムを構成するいずれの通信端末機器３〜６の電話帳メモリ部３ｂ〜６ｂに保存するかを選択する（ｓ−１３）。電話帳共用システム１においては、編集電話帳情報等を携帯電話機５の電話帳メモリ部５ｂに自ら保存する場合には、上述した登録操作の手順に従って登録操作を行う（ｓ−１４）。電話帳共用システム１においては、これによって編集処理を終了する。
【００４７】
電話帳共用システム１においては、編集電話帳情報等を携帯電話機５以外の他の通信端末機器、例えばファクシミリ電話機４に保存する場合には、屋内ネットワーク網７を介して携帯電話機５のネットワークインタフェース部５ｅとファクシミリ電話機４のネットワークインタフェース部４ｅとが接続される（ｓ−１５）。電話帳共用システム１においては、携帯電話機５からの呼出に際してファクシミリ電話機４において後述する認証判断が行われる。
【００４８】
電話帳共用システム１においては、この状態で携帯電話機５において送信操作が行われることにより屋内ネットワーク網７を介してファクシミリ電話機４に対して編集電話帳情報等が送信される。電話帳共用システム１においては、ファクシミリ電話機４において送信された編集電話帳情報等がその電話帳メモリ部４ｂに登録される（ｓ−１６）。なお、ファクシミリ電話機４は、この編集電話帳情報等の登録を自動的に行う。電話帳共用システム１においては、これによって編集処理を終了する。
【００４９】
電話帳共用システム１においては、上述したようにシステム内の他の通信端末機器が屋内ネットワーク網７を介して相互に接続されることによってそれぞれが保有する電話帳情報等の検索が行われて共有化される。電話帳共用システム１においては、パーソナルユース性が大きい携帯電話機５やＰＤＡ６とともに共用性が高い加入者電話機３やファクシミリ電話機４が互いに接続されてシステムを構成している。したがって、電話帳共用システム１においては、各通信端末機器３〜６毎に記憶される電話帳情報等の利用を制限してこれが適正に保全されるようにするセキュリティ対策が講じられている。
【００５０】
電話帳共用システム１においては、各通信端末機器３〜６においてそれぞれの電話帳メモリ部３ｂ〜６ｂに電話帳情報等を記憶する際に、他の通信端末機器による利用を制限する制限情報が付加される。制限情報は、各個別の電話帳情報等についてレベル差が設けられており、特定の通信端末機器からの検索については許可するが、他の通信端末機器からの検索については利用を不可とする。電話帳共用システム１においては、例えば共用性が高いファクシミリ電話機４からパーソナルユース性が大きい携帯電話機５に対して上述した操作にしたがって電話帳情報等の検索が行われた場合に、パーソナル性の高い電話帳情報等についてはその提供を行わないようにする。また、電話帳共用システム１においては、例えばパーソナルユース性が大きいＰＤＡ６からの検索要求に対しては、携帯電話機５から電話帳情報等の提供を行うようにする。
【００５１】
電話帳情報等のセキュリティ処理について、図６を参照して説明する。電話帳共用システム１においては、上述したように例えば携帯電話機５の電話帳メモリ部５ｂ内に目的の電話帳情報等が登録されていない場合に、例えばファクシミリ電話機４との接続が行われてその電話帳メモリ部４ｂの呼出が行われる。電話帳共用システム１においては、屋内ネットワーク網７を介して接続されたファクシミリ電話機４が携帯電話機５からの電話帳情報等のリクエスト信号を受信すると（ｓ−２０）、この携帯電話機５に対して設定された制限情報の確認、すなわちセキュリティレベルの確認が行われる（ｓ−２１）。
【００５２】
電話帳共用システム１においては、ファクシミリ電話機４において携帯電話機５に対するセキュリティレベルの設定が行われていない場合には、全てのリクエストに対する許可判断が行われ、ファクシミリ電話機４においてその電話帳メモリ部４ｂ内に保有する全ての電話帳情報等が抽出される（ｓ−２２）。電話帳共用システム１においては、抽出された全ての電話帳情報等がファクシミリ電話機４から屋内ネットワーク網７を介して携帯電話機５に対して送信される（ｓ−２３）。
【００５３】
電話帳共用システム１においては、ファクシミリ電話機４において携帯電話機５に対するセキュリティレベルの設定が行われている場合には、このセキュリティレベルに応じた電話帳情報等が電話帳メモリ部４ｂ内から抽出される（ｓ−２４）。電話帳共用システム１においては、抽出された電話帳情報等がファクシミリ電話機４から屋内ネットワーク網７を介して携帯電話機５に対して送信される（ｓ−２３）。電話帳共用システム１においては、このように各通信端末機器３〜６が保有する固有の電話帳情報等についてのセキュリティを図ることによってプライバシーの保護が図られるとともに、他の通信端末機器の操作によって変更或いは削除等が無断で行われないように構成される。
【００５４】
電話帳共用システム１においては、上述したように各通信端末機器３〜６が屋内ネットワーク網７を介して接続されることによってそれぞれが保有する固有の電話帳情報等が相互に共用される。電話帳共用システム１においては、例えば屋内ネットワーク網７に接続可能なネットワークインターフェース部を有する第三者の通信端末機器が接続されることもあるために、予め利用が可能な通信端末機器を定める認証システムが採用される。
【００５５】
電話帳共用システム１における認証手続きの手順について図７を参照して説明する。電話帳共用システム１においては、システムを構成する各通信端末機器３〜６について、予めネットワーク名と端末番号（ネットワーク内のシリーズ番号或いは電話番号等）とが登録される（ｓ−３０）。電話帳共用システム１においては、例えば携帯電話機５からその登録情報が屋内ネットワーク網７を介して送信され他の通信端末機器に対して登録要求が行われる（ｓ−３１）。
【００５６】
電話帳共用システム１においては、例えば携帯電話機５からの登録要求を受信したファクシミリ電話機４から、携帯電話機５に対して登録許可のパスワード要求を行う（ｓ−３２）。電話帳共用システム１においては、携帯電話機５からファクシミリ電話機４に対してパスワードが送信される（ｓ−３３）。電話帳共用システム１においては、ファクシミリ電話機４において送信されたパスワードの照合が行われ、携帯電話機５に対してこのパスワードが正しい場合には許可信号を送信するとともに正しくない場合には不許可信号を送信する（ｓ−３４）。
【００５７】
電話帳共用システム１においては、上述した手順を経て相互の認証が図られた携帯電話機５とファクシミリ電話機４には、ネットワーク名と自らの端末番号とともにそれぞれ相手方の端末番号が登録される（ｓ−３５）。電話帳共用システム１においては、同図に示すように同様の手続きがシステムを構成する他の通信端末機器間においても行われる。
【００５８】
電話帳共用システム１においては、上述した検索操作に際して、相手側から電話帳情報等の要求信号が送信されるとＩＤ検出部３ｆ〜６ｆによってパスワード検出を行い、認証された通信端末機器に対してのみ保有する電話帳情報等を提供する。したがって、電話帳共用システム１においては、資格のない第三者による電話帳情報等の利用が禁止される。
【００５９】
電話帳情報等については、電話番号や氏名ばかりでなく今後種々の情報が付加されていわゆるパーソナル情報として展開されるようになる。上述した電話帳共用システム１においては、相互に認証された通信端末機器間における電話帳情報等の相互利用のシステムを説明したが、例えば個別の電話帳情報等についてセキュリティ対策を講じて認証を不要としたネットワーク網での相互利用も可能である。また、電話帳共用システム１は、広告としてネットワーク網内での電話帳情報等の提供といったサービス形態も簡易なシステム構成によって作り出すことを可能とする。
【００６０】
【発明の効果】
以上詳細に説明したように、本発明によれば、サーバや大規模なシステムの構築等を不要とするとともに各通信端末機器にも大容量の電話帳メモリも不要として、簡易な構成によって各通信端末機器間においてそれぞれが保有する電話帳情報等の相互利用を可能とする。したがって、本発明によれば、電話帳情報等の有効利用が図られるとともに使い勝手の大幅な向上が図られ、また電話帳情報等の入力処理の手間或いは入力ミスも低減されるようになる。
【００６１】
【図面の簡単な説明】
【図１】本発明にかかる電話帳共有システムの基本構成図である。
【図２】同電話帳共有システムを構成する通信端末機器の構成図であり、同図（Ａ）はファクシミリ電話機の構成図、同図（Ｂ）は携帯電話機の構成図、同図（Ｃ）は移動携帯端末器の構成図である。
【図３】同電話帳共有システムにおける電話帳情報等の検索操作のフローチャートである。
【図４】同電話帳共有システムにおける電話帳情報等の検索操作における表示画面例を示し、同図（Ａ）は一覧検索の表示画面、同図（Ｂ）はワード検索の表示画面を示す図である。
【図５】同電話帳共有システムにおける電話帳情報等の編集操作のフローチャートである。
【図６】同電話帳共有システムにおけるセキュリティ処理のフローチャートである。
【図７】同電話帳共有システムにおける認証手続きの手順説明図である。
【符号の説明】
１  電話帳共用システム、２  通信網、３  加入者電話機、４  ファクシミリ電話機、５  携帯電話機、６  ＰＡＤ（移動携帯端末器）７  屋内ネットワーク網、３ｂ〜６ｂ  電話帳メモリ部、３ｃ〜６ｃ  表示器、３ｅ〜６ｅ  ネットワークインターフェース部、３ｆ〜６ｆ  ＩＤ検出
【図１】
0004362956.tif 000002
【図２】
0004362956.tif 000003
【図３】
0004362956.tif 000004
【図４】
0004362956.tif 000005
【図５】
0004362956.tif 000006
【図６】
0004362956.tif 000007
【図７】
0004362956.tif 000008